【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
放送伝送をサポートする無線通信システムにおいて、なお、前記システムは放送ソースノード、第１の成端ポイント、第２の成端ポイント、該ソースノードと該第１の成端ポイントの間に結合された少なくとも１つのルータ、そして該第１の成端ポイントと第２の成端ポイントの間に結合された少なくとも１つのルータとを有し、伝送経路をセットアップする方法が、
前記システム内での放送伝送のための伝送範囲を決定すること、
第２の成端ポイントから第１の成端ポイントへのマルチキャストツリーそして第１の成端ポイントから前記放送ソースノードへのマルチキャストツリーを構築すること、なお各マルチキャストツリーは前記少なくとも１つのルータを含み、そして
前記伝送範囲において前記マルチキャストツリーを通して放送メッセージを送信すること、
を含む方法。
【請求項２】
第１の成端ポイントから前記放送ソースノードへ前記マルチキャストツリーを構築することは、
前記第１の成端ポイントと前記放送ソースノードの間で、近隣のマルチキャストルータに連続して登録すること、
を含む請求項１に記載の方法。
【請求項３】
前記放送メッセージを送信することは、
前記放送ソースにおいて前記放送メッセージを受信すること、そして
放送メッセージを受信することに応えて、マルチキャストインターネットプロトコルパケットを形成するために、前記放送ソースノードがインターネットプロトコルパケット内に前記放送メッセージをカプセル化すること、
をさらに含む請求項１に記載の方法。
【請求項４】
前記マルチキャストインターネットプロトコルパケットは、ソースとして前記放送ソースを識別し、宛て先としてマルチキャストインターネットプロトコルアドレスを識別する、
請求項３に記載の方法。
【請求項５】
前記放送メッセージを送信することは、
前記第１の成端ポイントにおいて前記マルチキャストインターネットプロトコルパケットを受信すること、
前記マルチキャストインターネットプロトコルパケットを受信することに応えて、圧縮されたパケットを形成するために、前記第１の成端ポイントが前記マルチキャストインターネットプロトコルパケットを圧縮すること、そして
圧縮されたパケットを形成するためにインターネットプロトコルパケット内に前記圧縮されたパケットをカプセル化することを含み、該圧縮されたパケットはソースとして前記第１の成端ポイントを識別すること、
をさらに含む、請求項４に記載の方法。
【請求項６】
放送ソースノード、第１の成端ポイント、第２の成端ポイント、該放送ソースノードと第１の成端ポイントに結合された少なくとも１つのルータ、および該第１の成端ポイントと該第２の成端ポイントの間に結合された少なくとも１つのルータを有し、放送伝送をサポートする無線伝送システムにおいてインターネットプロトコルパケットを生成するためのインフラストラクチャ要素であって、該インフラストラクチャ要素は、
放送伝送範囲を決定する手段と、
マルチキャストアドレスを有するインターネットプロトコルパケットを生成する手段と、そして
インターネットプロトコルパケットを送信する手段と、
を備える、インフラストラクチャ要素。
【請求項７】
放送伝送をサポートする無線通信システムにおいて、なお、前記システムは放送ソースノード、第１の成端ポイント、第２の成端ポイント、該ソースノードと該第１の成端ポイントの間に結合された少なくとも１つのルータ、そして該第１の成端ポイントと第２の成端ポイントの間に結合された少なくとも１つのルータとを有し、伝送経路をセットアップする装置が、
前記システム内での放送伝送のための伝送範囲を決定する手段、
第２の成端ポイントから第１の成端ポイントへのマルチキャストツリーそして第１の成端ポイントから前記放送ソースノードへのマルチキャストツリーを構築する手段、なお各マルチキャストツリーは前記少なくとも１つのルータを含み、そして
前記伝送範囲において前記マルチキャストツリーを通して放送メッセージを送信する手段、
を含む装置。
【請求項８】
第１の成端ポイントから前記放送ソースノードへ前記マルチキャストツリーを構築する手段は、
前記第１の成端ポイントと前記放送ソースノードの間で、近隣のマルチキャストルータに連続して登録する手段、
を含む請求項７に記載の装置。
【請求項９】
前記放送メッセージを送信する手段は、
前記放送ソースにおいて前記放送メッセージを受信する手段、そして
放送メッセージの受信に応じて、マルチキャストインターネットプロトコルパケットを形成するために、前記放送ソースノードがインターネットプロトコルパケット内に前記放送メッセージをカプセル化する手段、
をさらに含む請求項７に記載の装置。
【請求項１０】
前記マルチキャストインターネットプロトコルパケットは、ソースとして前記放送ソースを識別し、宛て先としてマルチキャストインターネットプロトコルアドレスを識別する、
請求項９に記載の装置。
【請求項１１】
前記放送メッセージを送信する手段は、
前記第１の成端ポイントにおいて前記マルチキャストインターネットプロトコルパケットを受信する手段、
前記マルチキャストインターネットプロトコルパケットを受信することに応えて、圧縮されたパケットを形成するために、前記第１の成端ポイントが前記マルチキャストインターネットプロトコルパケットを圧縮する手段、そして
圧縮されたパケットを形成するためにインターネットプロトコルパケット内に前記圧縮されたパケットをカプセル化する手段を含み、該圧縮されたパケットはソースとして前記第１の成端ポイントを識別する手段、
をさらに含む、請求項１０に記載の装置。
【請求項１２】
前記放送メッセージを送信することは、
前記第１の成端ポイントにおいて前記マルチキャストインターネットプロトコルパケットを受信すること、
前記マルチキャストインターネットプロトコルパケットを受信することに応えて、第１の圧縮されたパケットを形成するために、前記第１の成端ポイントが前記マルチキャストインターネットプロトコルパケットを圧縮すること、そして
第２の圧縮されたパケットを形成するためにインターネットプロトコルパケットの前記第１の圧縮されたパケットをカプセル化することを含み、前記第２の圧縮されたパケットはソースとして前記第１の成端ポイントを識別すること、
をさらに含む、請求項４に記載の方法。
【請求項１３】
前記第１の成端ポイントはパケットデータサービスノード（ＰＤＳＮ）であり、前記第２の成端ポイントはパケット制御機能ノード（ＰＣＦ）である、請求項１乃至５、１２のうちのいずれか１つに記載の方法。
【請求項１４】
前記マルチキャストツリーを構築することは、前記伝送範囲内で前記マルチキャストツリーを構築する、請求項１に記載の方法。
【請求項１５】
前記第１の成端ポイントはパケットデータサービスノード（ＰＤＳＮ）であり、前記第２の成端ポイントはパケット制御機能ノード（ＰＣＦ）である、請求項６に記載のインフラストラクチャ要素。
【請求項１６】
前記第１の成端ポイントはパケットデータサービスノード（ＰＤＳＮ）であり、前記第２の成端ポイントはパケット制御機能ノード（ＰＣＦ）である、請求項７乃至１１のいずれか１つに記載の方法。
【請求項１７】
前記マルチキャストツリーを構築する手段は、前記伝送範囲内で前記マルチキャストツリーを構築する、請求項７に記載の装置。
【請求項１８】
放送ソースノード、パケットデータサービスノード（ＰＤＳＮ）、パケット制御機能ノード（ＰＣＦ）、該放送ソースノードと前記ＰＤＳＮに結合された少なくとも１つのルータ、および前記ＰＤＳＮと前記ＰＣＦの間に結合された少なくとも１つのルータを有し、放送伝送をサポートする無線伝送システムにおいてインターネットプロトコルパケットを送信するためのインフラストラクチャ要素であって、該インフラストラクチャ要素は、
放送伝送範囲を決定する手段と、
前記伝送範囲内で、前記ＰＣＦから前記ＰＤＳＮへのマルチキャストツリーそして前記ＰＤＳＮから前記放送ソースノードへのマルチキャストツリーを構築する手段、なお各マルチキャストツリーは前記少なくとも１つのルータを含み、
前記伝送範囲において前記マルチキャストツリーを通してインターネットプロトコルパケットを送信する手段と、
を備える、インフラストラクチャ要素。
【請求項１９】
前記ＰＤＳＮから前記放送ソースノードへ前記マルチキャストツリーを構築する手段は、
前記ＰＤＳＮと前記放送ソースノードの間で、近隣のマルチキャストルータに連続して登録すること、
を含む請求項１８に記載のインフラストラクチャ要素。
【請求項２０】
前記インターネットプロトコルパケットを送信する手段は、
前記放送ソースにおいて放送メッセージを受信すること、そして
放送メッセージを受信することに応えて、マルチキャストインターネットプロトコルパケットを形成するために、前記放送ソースノードがインターネットプロトコルパケット内に前記放送メッセージをカプセル化すること、
を含む請求項１８に記載のインフラストラクチャ要素。
【請求項２１】
前記マルチキャストインターネットプロトコルパケットは、ソースとして前記放送ソースを識別し、宛て先としてマルチキャストインターネットプロトコルアドレスを識別する、請求項２０に記載のインフラストラクチャ要素。
【請求項２２】
前記インターネットプロトコルパケットを送信する手段は、
前記ＰＤＳＮにおいて前記マルチキャストインターネットプロトコルパケットを受信すること、
前記マルチキャストインターネットプロトコルパケットを受信することに応えて、第１の圧縮されたパケットを形成するために、前記ＰＤＳＮが前記マルチキャストインターネットプロトコルパケットを圧縮すること、
第２の圧縮されたパケットを形成するためにインターネットプロトコルパケットの前記第１の圧縮されたパケットをカプセル化することを含み、前記第２の圧縮されたパケットはソースとして前記ＰＤＳＮを識別すること、
をさらに含む、請求項２０に記載のインフラストラクチャ要素。